(57)【要約】【課題】導光体の撓みを防止することができる照明装置を提供する。【解決手段】光源２、３の出射光を端面の入射面１１ａ、１２ａからそれぞれ入射して導光する細長状の導光体１０と、導光体１０を覆う筒状のカバー２０とを備え、導光体１０の周面から照明光を出射して照明を行う照明装置１において、導光体１０を嵌合して保持するとともに導光体１０の長手方向に延設または並設される導光体保持部２１をカバー２０の内周面に設けた。【選択図】図６
2012146547.tif 000002
【特許請求の範囲】
【請求項１】
光源の出射光を端面の入射面からそれぞれ入射して導光する細長状の導光体と、前記導光体を覆うカバーとを備え、前記導光体から照明光を出射して照明を行う照明装置において、前記導光体を保持するとともに撓みを防止するために前記導光体の長手方向に延設または並設される導光体保持部を前記カバーに設けたことを特徴とする照明装置。
【請求項２】
前記導光体の周面から突出する鍔部を設け、前記導光体保持部が前記カバーの内周面に突出する複数のリブにより形成されるとともに前記鍔部の嵌合により前記導光体を保持することを特徴とする請求項１に記載の照明装置。
【請求項３】
前記導光体の長手方向に延びて周面の所定領域に面して配される反射シートを備え、前記反射シートを前記導光体保持部により前記導光体と一体に挟持したことを特徴とする請求項２に記載の照明装置。
【請求項４】
前記光源に熱接触して前記導光体の長手方向に延びるヒートシンクを備え、前記導光体に対して隙間を有して前記ヒートシンクを保持するヒートシンク保持部を前記カバーの内周面に設けたことを特徴とする請求項１〜請求項３のいずれかに記載の照明装置。
【請求項５】
前記光源が前記導光体の両端面に面して配されるとともに、前記ヒートシンクが各前記光源に対応して長手方向に所定距離離れて前記導光体の両端部に配されることを特徴とする請求項４に記載の照明装置。
【発明の詳細な説明】
【技術分野】
【０００１】
本発明は、光源からの入射光を導光して周面から出射する導光体を備えた照明装置に関する。
【背景技術】
【０００２】
従来の照明装置は特許文献１に開示されている。この照明装置は対向配置されたＬＥＤから成る光源と、光源に両端面を対向して光を導光する細長状の導光体とを備えている。照明装置は導光体の両端を支持するホルダーを設置面に取り付けて設置される。導光体の周面の所定領域には長手方向に渡って光を拡散反射する拡散部が粗面化処理や所定のパターン印刷等により形成される。
【０００３】
光源から出射される光は導光体の両端面から導光体に入射して導光する。導光体を導光して拡散部に到達した光は拡散反射し、導光体の周面から出射される。これにより、導光体の長手方向に渡って周面から照明光が出射され、一方向に広い範囲の照明が行われる。
【先行技術文献】
【特許文献】
【０００４】
【特許文献１】特開２０１０−１０３７４２号公報（第５頁−第１０頁、第１図）
【発明の概要】
【発明が解決しようとする課題】
【０００５】
しかしながら、上記従来の照明装置によると、導光体の両端を支持して設置されるので長手方向の中央部で導光体の自重や熱による撓みが生じるという問題があった。
【０００６】
本発明は、導光体の撓みを防止することができる照明装置を提供することを目的とする。
【課題を解決するための手段】
【０００７】
上記目的を達成するために本発明は、光源の出射光を端面の入射面からそれぞれ入射して導光する細長状の導光体と、前記導光体を覆うカバーとを備え、前記導光体から照明光を出射して照明を行う照明装置において、前記導光体を保持するとともに撓みを防止するために前記導光体の長手方向に延設または並設される導光体保持部を前記カバーに設けたことを特徴としている。
【０００８】
この構成によると、光源の出射光は入射面から導光体に入射して導光される。導光体の周面に臨界角よりも小さい入射角で到達した光は導光体から出射され、カバーを透過して照明を行う。カバーには長手方向に延設される導光体保持部または長手方向に並設される導光体保持部が形成され、導光体が導光体保持部に保持して撓みが防止される。
【０００９】
また本発明は、上記構成の照明装置において、前記導光体の周面から突出する鍔部を設け、前記導光体保持部が前記カバーの内周面に突出する複数のリブにより形成されるとともに前記鍔部の嵌合により前記導光体を保持することを特徴としている。この構成によると、導光体の周面に突出した鍔部がカバーに設けた複数のリブ間に嵌合して導光体がカバーに保持される。
【００１０】
また本発明は、上記構成の照明装置において、前記導光体の長手方向に延びて周面の所定領域に面して配される反射シートを備え、前記反射シートを前記導光体保持部により前記導光体と一体に挟持したことを特徴としている。この構成によると、導光体の周面の所定領域から出射された光が反射シートにより導光体内に反射し、所望の方向に芳名口が出射される。反射シートは導光体の鍔部とともに導光体保持部に嵌合して挟持される。
【００１１】
また本発明は、上記構成の照明装置において、前記光源に熱接触して前記導光体の長手方向に延びるヒートシンクを備え、前記導光体に対して隙間を有して前記ヒートシンクを保持するヒートシンク保持部を前記カバーの内周面に設けたことを特徴としている。この構成によると、光源の発熱がヒートシンクを介して放熱される。この時、導光体とヒートシンクとの隙間によって導光体の熱変形が防止される。
【００１２】
また本発明は、上記構成の照明装置において、前記光源が前記導光体の両端面に面して配されるとともに、前記ヒートシンクが各前記光源に対応して長手方向に所定距離離れて前記導光体の両端部に配されることを特徴としている。この構成によると、導光体の両端面に面してそれぞれ光源が配置され、各光源に対応して設けられるヒートシンクにより光源の発熱が放熱される。
【発明の効果】
【００１３】
本発明によると、導光体の自重や熱による撓みを防止することができる。
【図面の簡単な説明】
【００１４】
【図１】本発明の実施形態の照明装置の概略を示す正面断面図
【図２】図１のＡ部詳細図
【図３】本発明の実施形態の照明装置の導光体の中央部を示す上面図
【図４】図１のＢ部詳細図
【図５】本発明の実施形態の照明装置を示す側面図
【図６】図４のＣ−Ｃ断面図
【発明を実施するための形態】
【００１５】
以下に本発明の実施形態を図面を参照して説明する。図１は一実施形態の照明装置の概略を示す正面断面図である。照明装置１は一方向に延びた所謂、直管型ＬＥＤ照明装置であり、筒状のカバー２０により外面が覆われる。カバー２０はポリカーボネート（ＰＣ）等の樹脂により形成され、光を拡散反射する拡散材（不図示）を含有する。カバー２０内には両端に配置されたＬＥＤから成る光源２、３間に細長状の導光体１０が配置される。
【００１６】
光源２、３にはアルミニウム等から成るヒートシンク４が熱接触する。ヒートシンク４は長手方向に所定距離離れて導光体１０の両端部の周面に夫々対向して配される。ヒートシンク４が導光体１０の長手方向の全長に渡っては設けられておらず、導光体１０の両端部に光源２、３からの熱を放熱するために必要な長さのみ設けられてある。即ち、導光体１０の中央部分の周面にはヒートシンク４が設けられていないので、導光部１０の中央部にはヒートシンク４から熱が直接伝わらないようにすることができる。これにより、照明装置１を軽量化して長手方向の中央部の撓みを軽減するとともに、ヒートシンク４による遮光を低減することができる。
【００１７】
図２は図１のＡ部の詳細を示し、導光体１０の長手方向の中央部の正面図を示している。また、図３は導光体１０の長手方向の中央部の上面図を示している。導光体１０はアクリル等により形成され、長手方向に並設された第１導光部１１及び第２導光部１２を有している。第１導光部１１及び第２導光部１２は略同じ長さに分離して別体に形成され、一端面の入射面１１ａ、１２ａ（図１参照）にそれぞれ光源２、３（図１参照）が対向配置される。入射面１１ａ、１２ａから導光体１０に入射した光は導光体１０内に導光される。
【００１８】
導光体１０に導光された光の非出射面を形成する底面１０ｄには導光を乱反射して拡散させる拡散部１０ｂが所定のパターンの印刷によって長手方向に連設して形成される。拡散部１０ｂをサンドブラスト等による粗面化処理により形成してもよい。
【００１９】
第１導光部１１及び第２導光部１２の端面から成る対向面１１ｂ、１２ｂは導光体１０の長手方向の中央部で互いに対向する。対向面１１ｂ、１２ｂ間には反射シート１３が設けられる。反射シート１３は白色のポリエチレンテレフタラート（ＰＥＴ）等から成り、導光体１０の導光を反射する。
【００２０】
図４は図１の照明装置１の一方の端部であるＢ部詳細図を示しており、照明装置１の他方の端部も同様に構成される。導光体１０及びヒートシンク４は後述するようにカバー２０により保持される。
【００２１】
導光体１０の下方には底面１０ｄに対向して白色のポリエチレンテレフタラート（ＰＥＴ）等から成る反射シート１４が配される。反射シート１４によって底面１０ｄから出射される光が導光体１０側に反射され、光の利用効率を高くすることができる。
【００２２】
導光体１０の両端部には導光棒押え１５が被嵌され、導光棒押え１５にはヒートシンク押え５が取り付けられる。導光棒押え１５とヒートシンク押え５との間に光源２及びヒートシンク４が挟持される。光源２とヒートシンク４との間には無機熱伝導性フィラーを含有するシリコンゴム等により形成された熱伝導性の弾性体７が挟まれる。これにより、ヒートシンク４が光源２に熱接触する。
【００２３】
導光棒押え１５及びヒートシンク押え５により一体化された導光体１０の組品にはジョイント６が取り付けられる。ジョイント６はポリブチレンテレフタレート（ＰＢＴ）やポリカーボネート（ＰＣ）等の樹脂により形成される。また、ジョイント６はカバー２０の開口面を塞ぐ金属製の口金９に取り付けられる。この時、弾性体７と同様の熱伝導性の弾性体８がジョイント６の内部に配され、ヒートシンク４と口金９とが熱接触する。これにより、光源２、３の発熱がヒートシンク４及び口金９を介して放熱される。口金９には電源回路（不図示）に接続される端子９ａが設けられる。
【００２４】
図５は照明装置１の口金９及びジョイント６を省いた状態の側面図を示している。また、図６は図４のＣ−Ｃ断面図を示している。導光体１０は底面１０ｄが平面の略台形の断面形状を有し、周面から対向する二方向に突出した鍔部１０ａが形成される。
【００２５】
カバー２０には導光体１０の底面１０ｄに対して略平行な複数のリブ２０ａ、２０ｂ、２０ｃが図中、上方から順に内周面から突出して設けられる。リブ２０ａ及びリブ２０ｂによって第１嵌合部２１（導光体保持部）が形成され、リブ２０ｂ及びリブ２０ｃによって第２嵌合部２２（ヒートシンク保持部）が第１嵌合部２１の図中、下方に並んで形成される。
【００２６】
鍔部１０ａ及びリブ２０ａ、２０ｂは導光体１０の長手方向に延設され、鍔部１０ａが第１嵌合部２１に嵌合する。これにより、導光体１０がカバー２０に保持され、第１嵌合部２１によって導光体１０を保持する導光体保持部が構成される。尚、本実施形態では鍔部１０ａ及びリブ２０ａ、２０ｂが導光体１０の長手方向の全長に亘って連続的に延設されている。鍔部１０ａ及びリブ２０ａ、２０ｂのいずれかを導光体１０の長手方向に分割して非連続的に複数設けて並設してもよい。
【００２７】
この時、導光体１０の底面１０ｄに面して配される反射シート１４は鍔部１０ａとともに第１嵌合部２１に嵌合して挟持される。これにより、反射シート１４を導光体１０の底面１０ｄに接着する必要がなく、両面テープ等の接着部材による反射率の低下を防止することができる。
【００２８】
また、図中、上方のリブ２０ａには第１嵌合部２１内に突出する突起部２０ｄが設けられる。鍔部１０ａには外周側を薄く形成した段差部１０ｅが設けられる。突起部２０ｄが段差部１０ｅに当接することにより、導光体１０の図中、左右方向の移動を規制して導光体１０を位置決めすることができる。
【００２９】
リブ２０ｂとリブ２０ｃとの間に形成される第２嵌合部２２には導光体押え１５及びヒートシンク４が嵌合して挟持される。上記と同様に、リブ２０ｃを導光体１０の長手方向に分割して非連続的に複数設けて並設してもよい。ヒートシンク４の底部は長手方向に延び、導光体押え１５の図中、下方に配される。第２嵌合部２２内の導光体押え１５は導光体１０の長手方向の外側に設けられる。このため、導光体１０に対して空気層の隙間Ｄ（図４参照）を形成してヒートシンク４が保持される。これにより、隙間Ｄが導光体１０とヒートシンク４との間で断熱層となり、ヒートシンク４の熱による導光体１０の熱変形を防止することができる。
【００３０】
上記構成の照明装置１において、端子９ａに電力が供給されると光源２、３が点灯する。光源２、３の出射光はそれぞれ入射面１１ａ、１２ａを介して導光体１０の第１導光部１１及び第２導光部１２に入射し、導光体１０に導光される。
【００３１】
導光体１０に導光されて拡散部１０ｂに到達した光は拡散反射する。拡散部１０ｂで反射して導光体１０の周面に臨界角よりも小さい入射角で入射した光は矢印Ｓ１（図２参照）に示すように導光体１０から出射される。そして、カバー２０を透過した照明光により照明が行われる。拡散部１０ｂは導光体１０の長手方向に渡って連設されるため、照明装置１の長手方向の全体から照明光が出射される。
【００３２】
また、対向面１１ｂ、１２ｂに到達した光は反射シート１３で矢印Ｓ２（図２参照）に示すように反射して入射面１１ａ、１２ａの方向に導光される。即ち、反射シート１３は反射により導光の向きを可変する導光可変部を構成する。これにより、入射面１１ａ、１２ａを介して第１、第２導光部１１、１２の一方側から他方側へ抜けていく光量が減少する。従って、導光体１０の両端部に比較して光の出射量が少ない中央部から出射される照明光が増加して長手方向に渡って明るさを均一にすることができる。
【００３３】
また、導光体１０の第１、第２導光部１１、１２間には反射シート１３の厚みの隙間が形成される。該隙間は光の非出射領域となるため、長手方向に渡って出射される照明光に縞状の暗部が反射シート１３に対応する位置に形成される場合がある。しかしながら、カバー２０の透過光が拡散材によって拡散されるため、非出射領域の周囲の出射光が拡散して縞状の暗部を目立たなくすることができる。
【００３４】
本実施形態によると、導光体１０を保持するとともに撓みを防止するために導光体１０の長手方向に延設または並設される第１嵌合部２１（導光体保持部）をカバー２０に設けたので、導光体１０の自重や熱による撓みを防止することができる。
【００３５】
また、カバー２０は長手方向の略全長にわたって導光体１０を嵌合して保持してあるので、導光体１０の剛性によりカバー２０が熱や内蔵部品の重量等で撓むことも防止することができる。即ち、導光体保持部としての第１嵌合部２１に導光体１０を保持することで、カバー２０と導光体１０が互いに撓みを防止し合うように作用する。
【００３６】
また、第１嵌合部２１がカバー２０の内周面に突出する複数のリブ２０ａ、２０ｂにより形成され、導光体１０の周面から突出する鍔部１０ａを嵌合して導光体１０を保持するので、長手方向に延設または並設して導光体１０を保持する導光体保持部を容易に実現することができる。
【００３７】
また、反射シート１４を第１嵌合部２１により導光体１０と一体に挟持したので、反射シート１４を導光体１０に接着する必要がなく、両面テープ等の接着部材による反射率の低下を防止することができる。
【００３８】
また、導光体１０に対して隙間Ｄを有してヒートシンク４を保持する第２嵌合部２２（ヒートシンク保持部）をカバー２０の内周面に設けたので、長手方向に延びるヒートシンク４を容易に保持することができる。また、隙間Ｄによりヒートシンク４による導光体１０の熱変形を防止し、照明装置１の照明光の明るさをより均一にすることができる。
【００３９】
また、ヒートシンク４が両端の光源２、３に対応して長手方向に所定距離離れて導光体１０の両端部に配されるので、ヒートシンク４の重量が小さく維持される。これにより、ヒートシンク４の自重によるカバー２０の撓みが低減され、カバー２０と一体の導光体１０の撓みをより低減することができる。また、ヒートシンク４による導光体１０の非出射側の遮光が低減されるため、非出射側に回り込む照明光（所謂、上方光束）が増加して照明範囲を広くすることができる。
【００４０】
本実施形態において、リブ２０ａを鍔部１０ａに対して傾斜または垂直に延びて形成し、複数のリブ２０ａ間に鍔部１０ａやヒートシンク４を嵌合してもよい。また、光源２、３に電力を供給する電源基板を導光体１０の底面１０ｄとカバー２０との間に設置してもよい。
【産業上の利用可能性】
【００４１】
本発明によると、光源からの入射光を導光して周面から出射する導光体を備えた照明装置に利用することができる。
【符号の説明】
【００４２】
１    照明装置
２、３  光源
４    ヒートシンク
５    ヒートシンク押え
６    ジョイント
７、８    弾性体
９    口金
１０    導光体
１０ａ  鍔部
１０ｂ  拡散部
１０ｄ  底面
１１    第１導光部
１１ａ、１２ａ  入射面
１１ｂ、１２ｂ  対向面
１２    第２導光部
１３、１４  反射シート
１５    導光体押え
２０    カバー
２０ａ、２０ｂ、２０ｃ  リブ
２１    第１嵌合部
２２    第２嵌合部
【図１】
2012146547.tif 000003
【図２】
2012146547.tif 000004
【図３】
2012146547.tif 000005
【図４】
2012146547.tif 000006
【図５】
2012146547.tif 000007
【図６】
2012146547.tif 000008